【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
内部に回転軸を有する円筒状の回転部と、
前記回転軸を回転中心として、前記回転部を回転させる駆動部と、
前記回転部の内部に取り付けられ、複数の発光素子がｍ行×ｎ列（ｍ，ｎ＝２以上の整数）のマトリクス状に配設されることにより形成された発光面を有する発光素子アレイと、
前記発光面に対向する位置において、前記回転部の周面に設けられたスリットと
を備え、
前記発光素子アレイは、
曲面形状部分を有し、前記曲面形状部分の凹面側が前記発光面とされ、
前記複数の発光素子は、
前記発光面の方向に応じた光を、前記スリットを介して前記回転部の外部に放射する
立体画像表示装置。
【請求項２】
前記スリットは、前記回転軸に平行な方向に設けられている
請求項１に記載の立体画像表示装置。
【請求項３】
前記回転軸から任意の視点に至る線分の距離をＬ１とし、
前記回転軸から前記発光素子アレイまでの最短距離をＬ２とし、
前記回転軸から前記スリットに至る線分の距離をｒとし、
前記距離Ｌ１の線分と距離ｒの線分とが成す角度であって、前記距離Ｌ１の線分に対する前記スリットの位置を示す角度をθとし、
前記発光面の曲面形状を成すｘ軸座標値をｘ（θ）とし、前記発光面の曲面形状を成すｙ軸座標値をｙ（θ）としたとき、
前記発光面の曲面形状が、以下の式によって表されている
請求項２に記載の立体画像表示装置。
ｘ（θ）＝ｒ（Ｌ２−Ｌ１）sinθcosθ／（Ｌ１−ｒ cosθ）＋Ｌ２sinθ  …（１）
ｙ（θ）＝ｒ（Ｌ２−Ｌ１）sin2θ／（Ｌ１−ｒcosθ）−Ｌ２cosθ  …（２）
【請求項４】
前記回転軸から任意の視点に至る線分の距離をＬ１とし、
前記回転軸から前記発光素子アレイまでの最短距離をＬ２とし、
前記回転軸から前記スリットに至る線分の距離をｒとし、
前記距離Ｌ１の線分と距離ｒの線分とが成す角度であって、前記距離Ｌ１の線分に対する前記スリットの位置を示す角度をθとし、
前記発光面の曲面形状を成すｘ軸座標値をｘ（θ）とし、前記発光面の曲面形状を成すｙ軸座標値をｙ（θ）としたとき、
前記発光面の曲面形状が、以下の式によって表されている
請求項２に記載の立体画像表示装置。
ｘ（θ）＝ｘ２cosθ＋Ｌ２sinθ  …（１Ａ）
ｙ（θ）＝ｘ２sinθ−Ｌ２cosθ  …（２Ａ）
【請求項５】
立体画像用の映像情報に基づいて、前記複数の発光素子の発光制御を行う表示制御部をさらに備えた
請求項１ないし４のいずれか１つに記載の立体画像表示装置。
【請求項６】
前記表示制御部は、
前記発光素子アレイの行方向に配列されるｍ個の発光素子がそれぞれ、前記回転部の回転に応じて異なるタイミングで発光を開始するような発光制御を行う
請求項５に記載の立体画像表示装置。
【請求項７】
前記発光素子アレイは、発光素子基板を前記回転部の回転軸の方向に沿ってｎ枚積層した積層構造を有し、
前記発光素子基板は、プリント配線基板を湾曲状に切り欠いた小口面を有し、前記小口面にｍ個の発光素子がライン状に実装された構造を有している
請求項１ないし６のいずれか１つに記載の立体画像表示装置。
【請求項８】
前記スリットの短軸方向における幅が、前記ｍ個の発光素子の実装ピッチと同じ大きさとなるように形成されている
請求項７に記載の立体画像表示装置。
【請求項９】
前記回転部の外部に存在する物体を検出する物体検出手段をさらに備え、
前記表示制御部は、前記物体検出手段の検出結果に応じて前記発光素子の発光制御を行う
請求項５ないし８のいずれか１つに記載の立体画像表示装置。
【請求項１０】
前記物体検出手段として、前記回転部の外部に存在する観察者を検出する観察者検出部を備え、
前記表示制御部は、
前記観察者検出部から得られた観察者検出値と、所定の観察者判別値とを比較し、前記比較の結果に応じて前記発光素子の発光強度を制御する
請求項９に記載の立体画像表示装置。
【請求項１１】
前記物体検出手段は、前記回転部の表面周囲に近接する物体の位置を検出し、
前記表示制御部は、
前記物体検出手段によって検出された物体の位置に応じて、観察者から見た立体画像の表示状態が変化するように前記発光素子の発光制御を行う
請求項９に記載の立体画像表示装置。
【請求項１２】
前記物体検出手段は、
前記回転部に取り付けられている
請求項９に記載の立体画像表示装置。
【請求項１３】
前記複数の発光素子にはそれぞれ、発光光束を前記スリットに集光させるためのレンズ部材が取り付けられている
請求項１ないし１２のいずれか１つに記載の立体画像表示装置。
【請求項１４】
前記回転部に冷却用の羽根部材が取り付けられている
請求項１ないし１３のいずれか１つに記載の立体画像表示装置。
【請求項１５】
前記回転部の回転を検出する回転検出部と、
前記駆動部を制御する駆動制御部と
をさらに備え、
前記駆動制御部は、
前記回転検出部から得られた回転検出値と、所定の回転基準値とを比較し、前記比較の結果に応じて前記回転部の回転動作を停止するように前記駆動部を制御する
請求項１ないし１４のいずれか１つに記載の立体画像表示装置。
【請求項１６】
前記回転部の振動を検出する振動検出部と、
前記駆動部を制御する駆動制御部と
をさらに備え、
前記駆動制御部は、
前記振動検出部から得られた振動検出値と、所定の振動基準値とを比較し、前記比較の結果に応じて前記回転部の回転動作を停止するように前記駆動部を制御する
請求項１ないし１５のいずれか１つに記載の立体画像表示装置。
【請求項１７】
前記立体画像用の映像情報は、ｍ行×ｎ列個の撮像素子を有する撮像系で任意の被写体を全周囲に渡って等間隔にＮ箇所分（Ｎ＝２以上の整数）を撮像することにより得られたＮ箇所×ｍ行分の２次元映像データである
請求項１ないし１６のいずれか１つに記載の立体画像表示装置。
【請求項１８】
内部に回転軸を有する円筒状の回転部と、
前記回転軸を回転中心として、前記回転部を回転させる駆動部と、
前記回転部の内部に取り付けられ、複数の発光素子がｍ行×ｎ列（ｍ，ｎ＝２以上の整数）のマトリクス状に配設されることにより形成された発光面を有する複数の発光素子アレイと、
前記複数の発光素子アレイの各発光面に対向する位置において、前記回転部の周面に設けられた複数のスリットと
を備え、
前記発光素子アレイは、
曲面形状部分を有し、前記曲面形状部分の凹面側が前記発光面とされ、
前記複数の発光素子は、
前記発光面の方向に応じた光を、前記スリットを介して外部に放射し、
前記複数のスリットは、
前記回転軸を原点として前記回転部の周面に等角度に設けられている
立体画像表示装置。
【請求項１９】
前記複数の発光素子アレイは、互いに波長が異なる光を発するものである
請求項１８に記載の立体画像表示装置。
【請求項２０】
内部に回転軸を有し、周面にスリットが設けられた円筒状の回転部を、筒素材を加工して形成する工程と、
曲面形状部分を有する発光素子アレイを製造する工程と、
前記発光素子アレイを、前記回転部の内部に取り付ける工程と
を含み、
前記発光素子アレイを製造する工程において、
前記曲面形状部分の凹面側に、複数の発光素子をｍ行×ｎ列（ｍ，ｎ＝２以上の整数）のマトリクス状に配設することにより発光面を形成し、
前記複数の発光素子が、前記発光面の方向に応じた光を、前記スリットを介して前記回転部の外部に放射するような立体画像表示装置を製造する
立体画像表示装置の製造方法。
【請求項２１】
前記回転軸から任意の視点に至る線分の距離をＬ１とし、
前記回転軸から前記発光素子アレイまでの最短距離をＬ２とし、
前記回転軸から前記スリットに至る線分の距離をｒとし、
前記距離Ｌ１の線分と距離ｒの線分とが成す角度であって、前記距離Ｌ１の線分に対する前記スリットの位置を示す角度をθとし、
前記発光面の曲面形状を成すｘ軸座標値をｘ（θ）とし、前記発光面の曲面形状を成すｙ軸座標値をｙ（θ）としたとき、
前記発光面の曲面形状を、以下の式に従って形成する
請求項２０に記載の立体画像表示装置の製造方法。
ｘ（θ）＝ｒ（Ｌ２−Ｌ１）sinθcosθ／（Ｌ１−ｒ cosθ）＋Ｌ２sinθ  …（１）
ｙ（θ）＝ｒ（Ｌ２−Ｌ１）sin2θ／（Ｌ１−ｒcosθ）−Ｌ２cosθ  …（２）
【請求項２２】
前記回転軸から任意の視点に至る線分の距離をＬ１とし、
前記回転軸から前記発光素子アレイまでの最短距離をＬ２とし、
前記回転軸から前記スリットに至る線分の距離をｒとし、
前記距離Ｌ１の線分と距離ｒの線分とが成す角度であって、前記距離Ｌ１の線分に対する前記スリットの位置を示す角度をθとし、
前記発光面の曲面形状を成すｘ軸座標値をｘ（θ）とし、前記発光面の曲面形状を成すｙ軸座標値をｙ（θ）としたとき、
前記発光面の曲面形状を、以下の式に従って形成する
請求項２０に記載の立体画像表示装置の製造方法。
ｘ（θ）＝ｘ２cosθ＋Ｌ２sinθ  …（１Ａ）
ｙ（θ）＝ｘ２sinθ−Ｌ２cosθ  …（２Ａ）
【請求項２３】
前記発光素子アレイを製造する工程は、
前記式（１），（２）または式（１Ａ），（２Ａ）に基づいてプリント配線基板を湾曲状に切り欠いた小口面を形成し、前記小口面にｍ個の前記発光素子をライン状に実装することにより発光素子基板を形成する工程と、
前記発光素子基板をｎ枚積層する工程と
を含む
請求項２１または２２に記載の立体画像表示装置の製造方法。
【請求項２４】
内部に回転軸を有する円筒状の回転部と、
前記回転軸を回転中心として、前記回転部を回転させる駆動部と、
前記回転部の内部に取り付けられ、複数の発光素子がｍ行×ｎ列（ｍ，ｎ＝２以上の整数）のマトリクス状に配設されることにより形成された発光面を有する発光素子アレイと、
前記発光面に対向する位置において、前記回転部の周面に設けられたスリットと
を備えた立体画像表示装置によって立体画像の表示を行う際に、
前記発光素子アレイとして、
曲面形状部分を有し、前記曲面形状部分の凹面側に前記発光面が形成されたものを用い、
前記複数の発光素子が、
前記発光面の方向に応じた光を、前記スリットを介して前記回転部の外部に放射する
立体画像表示方法。
【手続補正２】
【補正対象書類名】明細書
【補正対象項目名】００２４
【補正方法】変更
【補正の内容】
【００２４】
本発明による立体画像表示方法は、内部に回転軸を有する円筒状の回転部と、回転軸を回転中心として、回転部を回転させる駆動部と、回転部の内部に取り付けられ、複数の発光素子がｍ行×ｎ列（ｍ，ｎ＝２以上の整数）のマトリクス状に配設されることにより形成された発光面を有する発光素子アレイと、発光面に対向する位置において、回転部の周面に設けられたスリットとを備えた立体画像表示装置によって立体画像の表示を行う際に、発光素子アレイとして、曲面形状部分を有し、曲面形状部分の凹面側に発光面が形成されたものを用い、複数の発光素子が、発光面の方向に応じた光を、スリットを介して回転部の外部に放射するようにしたものである。
【手続補正３】
【補正対象書類名】明細書
【補正対象項目名】００２５
【補正方法】変更
【補正の内容】
【００２５】
本発明の第１もしくは第２の観点に係る立体画像表示装置、または本発明の立体画像表示方法では、内部に１または複数の発光素子アレイが取り付けられた状態で回転部が回転する。この回転した状態で、発光素子アレイにおける複数の発光素子が、曲面形状の発光面の方向に応じた光を、スリットを介して回転部の外部に放射する。これにより、観測者は回転部の周囲の任意の位置において、立体画像を認識することができる。
【手続補正４】
【補正対象書類名】明細書
【補正対象項目名】００４２
【補正方法】変更
【補正の内容】
【００４２】
このように、回転軸１０３に羽根部材を取り付けたので、回転部１０４の回転動作を利用して空気の流れを作り出すことができる。従って、ファンモータなどを新たに追加せずに、２次元発光素子アレイ１０１から発生する熱を外部へ排気できるようになる。これによるファンモータが不要になることから、全周囲立体画像表示装置１０のコストダウンを図ることができる。
【手続補正５】
【補正対象書類名】明細書
【補正対象項目名】００４７
【補正方法】変更
【補正の内容】
【００４７】
その後、外装体４１の周面の所定の位置にスリット１０２及びセンサ用の孔部１０８を形成する。この例でスリット１０２は、筒素材の周面の当該回転軸１０３に平行する方向に穿設する。孔部１０８は、スリット１０２の上部に開孔する。外装体４１はターンテーブル４２上に取り付けて使用される。外装体４１の内外部は光を吸収するように黒色に塗布するとよい。
【手続補正６】
【補正対象書類名】明細書
【補正対象項目名】０２８７
【補正方法】変更
【補正の内容】
【０２８７】
１０，２０，３０，４０，５０，６０，７０…全周囲立体画像表示装置、１１…接続基板、１２…シリアルパラレル変換部、１５…表示制御部、３１…プリント配線基板、３２，３３…位置決め用の孔部、３４…コネクタ、３５…ＩＣ、４１…外装体（回転部）、４２…ターンテーブル（回転部）、５１…スリップリング、５２…モータ（駆動部）、５３，５４…ハーネス、５５…制御部、５６…Ｉ／Ｆ基板、５７…電源部、５８…エンコーダ（回転検出部）、５９…振動検出部、６０…スイッチ部、７１…検出信号処理部、７２…出力アンプ、７３…Ａ／Ｄコンバータ、７５…手、７６…立体表示画像、８１…視聴者検出センサ（観察者検出部）、８１Ａ…赤外線発光部、８１Ｂ…赤外線受光部、８２…アーム部材、８３…位置決めピン、９０…映像ソース送出装置、１０１…２次元発光素子アレイ、１０２…スリット、１０３…回転軸、１０４…回転部、１０５…設置架台、１０６…吸気口、１０７…ファン部品、１０８…センサ用の孔部、１０８Ａ…発光部用の孔部、１０８Ｂ…受光部用の孔部、１０９…レンズ部材、１２０…表示面、２０１〜２１２…発光素子、３００〜３５９…視点、＃１〜＃ｎ…１次元発光素子基板、Ｕ１〜Ｕ６…発光ユニット。